(57)【要約】【課題】  内ブラケットアーム及び外ブラケットアームを同一生産ライン上において成型・組み立てを行い、単位時間・空間において、最大規模の量産を行い、大幅に生産コストを下げ、且つ製品の歩留りを向上させること。【解決手段】  内ブラケットアーム１及び外ブラケットアーム２を有し、前記内ブラケットアーム１の上には軸心１１を備え、前記外ブラケットアーム２の上には軸穴２１を備え、且つ前記軸穴２１の側面に軸穴２１よりやや大きい装着穴２２を設け、内・外ブラケットアーム１，２が生産成型される時、前記内ブラケットアーム１の軸心１１が直接装着穴２２の中に伸張した後、軸穴２１と装着穴２２の相対方向に従って、内・外ブラケットアーム１，２を相対的に押し込み又は引っ張る動作によって軸心１１を軸穴２１の中にはめ込み、内・外ブラケットアーム１，２がハサミ状の昇降機構となるようにする。【選択図】  図３
0003105280.tif 000002
【実用新案登録請求の範囲】
【請求項１】
コンピュータ・キーボード押しボタンの昇降機構であって、その軸心によって外ブラケットアームの軸穴に枢接された内ブラケットアームと、
前記軸穴側面に軸穴よりやや大きい装着穴を設けた外ブラケットアームと、を有し、
前記内ブラケットアームの成型時に、その軸心が外ブラケットアームの装着穴の中に置かれ、外力によって前記軸心を前記軸穴内にはめ込み、昇降機構の設置を完成できるようにしたことを特徴とする、
コンピュータ・キーボード押しボタンの昇降機構。
【請求項２】
前記装着穴と軸穴の間には平滑な連接面が設けられ、軸心が順調に軸穴の中に滑り込み、磨耗しないようにしたことを特徴とする、請求項１に記載のコンピュータ・キーボード押しボタンの昇降機構。
【請求項３】
前記軸穴の末端と装着穴の連接箇所には保持ポイントが設けられ、前記軸心が装着穴の側から保持ポイントを押し広げて軸穴の中に入ったあと、前記保持ポイントが元の位置に戻って軸心を軸穴の中で回動させるように制限することを特徴とする、請求項１に記載のコンピュータ・キーボード押しボタンの昇降機構。
【請求項４】
前記内・外ブラケットアームは、軸穴と装着穴の相対方向に従って、それぞれ押し込み又は引っ張る動作によって軸心を軸穴の中にはめ込むことを特徴とする、請求項１に記載のコンピュータ・キーボード押しボタンの昇降機構。
【考案の詳細な説明】
【技術分野】
【０００１】
本考案は、コンピュータ・キーボード押しボタンの昇降機構、特に時間と空間の利用によって、大幅な生産性の向上とコストダウンを図るコンピユータ・キーボード押しボタンの昇降機構に関するものである。
【背景技術】
【０００２】
コンピュータ・キーボード押しボタンの昇降機構は、押しボタンの下方を支え、ユーザーが押しボタンを叩いてデータをコンピュータに入力できるようにしたメカニカル構造である。よく見かけるコンピュータ・キーボード押しボタンの昇降機構について言えば、主として外ブラケットアームと内ブラケットアームとを有し、前記内・外ブラケットアームは、軸心によって枢接され、交差式の昇降機構（ハサミ機構）を形成し、前記軸心によって内・外ブラケットアームが押しボタンを支えて昇降動作を行う。実務上においては、キーボードには約百個に及ぶ押しボタンがあり、これに対応して約百組のコンピュータ・キーボード押しボタンの昇降機構を必要とする。従って、コンピュータ・キーボード押しボタンの昇降機構の需要量はかなり膨大で、大量生産方式によって需要に対応しなければならない。
【０００３】
現在のコンピュータ・キーボード押しボタン昇降機構の生産方式は、前述の内ブラケットアームと外ブラケットアームを別々に製造し、前記内ブラケットアームには軸心を設け、前記外ブラケットアームの上には軸穴を設けてある。内・外ブラケットアームの製作を終え且つ組み立てを行う時は、内ブラケットアームによって外ブラケットア−ムを両側に押しのけ、軸心が軸穴の中にはまり込むようにしてある。
【考案の開示】
【考案が解決しようとする課題】
【０００４】
前述の内・外ブラケットアーム自体が小型の部品で、その構造の強さに限度があるため、内ブラケットアームが外ブラケットアームを押しのける過程において、力の大きさ又は方向の偏差によって製品の変形又は損傷を招きやすいと共に、前記内・外ブラケットアームは、異なる生産ラインで成型された後、別途組み立て設備において結合されるため、従来のコンピュータ・キーボード押しボタン昇降機構の生産作業を複雑なものにし、生産性を低下させ、且つ生産コストを高くしていた。
上述の従来型コンピュータ・キーボード押しボタンの昇降機構には尚多くの欠点があり、よい設計とは言い難く、改良が待たれていた。
【０００５】
本案の考案は上述の欠点に鑑みて成されたもので、その目的は、内ブラケットアーム及び外ブラケットアームを同一生産ライン上において成型・組み立てを行い、単位時間・空間において、最大規模の量産を行い、大幅に生産コストを下げ、且つ製品の歩留りを向上させることの出来るコンピュータ・キーボード押しボタンの昇降機構を提供することにある。
本考案のもう一つの目的は、内ブラケットアーム及び外ブラケットアームを組み立てる時、押し広げ又は折り曲げなどの動作を必要とせず、製品の完成時に変形又は損傷が生じにくいようなコンピュータ・キーボード押しボタンの昇降機構を提供することにある。
【課題を解決するための手段】
【０００６】
上述の目的を達成するため、本考案に係るコンピュータ・キーボード押しボタンの昇降機構は、軸心を備える内ブラケットアームと、軸穴を設けた外ブラケットアームとを有し、且つ前記軸穴の側面には軸穴よりやや大きい装着穴を設け、前記軸穴と装着穴の間には平滑な連接面があり、且つ前記軸穴と装着穴の連接箇所には保持ポイントが設けられ、前記上・下保持ポイント間の距離は軸心の直径よりやや小さくしてある；こうすることによって、内・外ブラケットアームの生産成型時に、前記内ブラケットアームの軸心が直接装着穴の中に伸張し、軸穴と装着穴の相対方向に従って、内・外ブラケットアームを相対的に押し込み又は引っ張る動作によって軸心を軸穴の中にはめ込み、内・外プラケットアームがハサミ状の昇降機構を形成するようにする。
【考案の効果】
【０００７】
本考案に係るコンピュータ・キーボード押しボタンの昇降機構においては、その内ブラケットアーム及び外ブラケットアームを同一生産ラインの上で成型・組み立てを行い、生産ラインと運搬のコストを下げ、時間と空間の利用度を広げ、且つ大幅に生産量及び品質を引き上げ、製品のコストをさげることが出来ると共に、本考案の組み立てを行う時、内・外ブラケットアームを外部に向かって押し開ける動作を必要とせず、製品の変形又は損傷を避け、製品の歩留りを向上させることが出来る。
【考案を実施するための最良の形態】
【０００８】
以下、添付図面を参照して本考案の好適な実施の形態を詳細に説明する。尚、下記実施例は、本考案の好適な実施の形態を示したものに過ぎず、本考案の技術的範囲は、以下の実施例そのものに限定されるものではない。
【０００９】
図１〜図３に示すように本考案の提供するコンピュータ・キーボード押しボタンの昇降機構は、主として内ブラケットアーム１及び外ブラケットアーム２を含む。
【００１０】
前記内ブラケットアーム１の上には軸心１１があり・前記外ブラケットアーム２の上には軸穴２１がある、そして前記軸穴２１の側面には軸穴よりやや大きい装着穴２２が設けられ、内・外ブラケットアーム１・２が生産成型される時、前記内ブラケットアーム１の軸心１１が直接装着穴２２の中に伸張したあと、軸穴２１と装着穴２２の相対的方向に従って、内・外ブラケットアーム１・２を相対的に押し込み又は引っ張る動作（本例では押し込み式）によって軸心１１を軸穴２１の中にはめ込み、内・外ブラケットアーム１・２がハサミ状の昇降機構を形成するようにする。
【００１１】
上記の方式によって、内・外ブラケットアーム１・２の成型、組み立てがすべて同一生産ライン上において行われ、時間と空間の無駄を省くと共に、生産ラインと運搬のコストを下げ、大幅に製品の生産性及び歩留りを向上させる。
【００１２】
組み立てを順調に行うため、上記外ブラケットアーム２の軸穴２１及び装着穴２２の間は平滑な連接面をなし、前記軸心１１の組み立てを行う時、順調に装着穴２２から軸穴２１の中に滑り込んで位置を決め、軸心１１が磨耗することを避け、製品の品質を向上させることが出来る。又、前記軸穴２１の末端及び装着穴２２の連接箇所には別途保持ポイント２３を設け、前記上・下二つの保持ポイント２３間の距離はやや軸心１１の直径より小さく、内・外ブラケットアーム１・２を組み立てる時、軸心１１が装着穴２２の側から適度に保持ポイント２３を押し広げて軸穴２１の中にはまった後、保持ポイント２３が自然に元の位置に戻り、軸心１１を軸穴２１において制限回動させ、本考案の連接を完成する。
【００１３】
以上を総合すると、本考案の提供するコンピューク・キーボード押しボタンの昇降機構においては、内ブラケットアーム及び外ブラケットアームは、同一生産ライン上に置いて成型、組み立てを行い、生産ライン及び運搬のコストを下げ、時間と空間の利用度を広げ、且つ大幅に生産性と品質を向上させ、製品のコストを下げることが出来ると共に、本考案の組み立てを行う時、内・外ブラケットアームを外部に向かって押し開ける動作を必要とせず、製品の変形又は損傷を避け、製品の歩留りを高めることが出来る。
【図面の簡単な説明】
【００１４】
【図１】本考案に係るコンピュータ・キーボード押しボタン昇降機構の立体図である。
【図２】前記コンピュータ・キーボード押しボタン昇降機構の平面図である。
【図３】前記コンピュータ・キーボード押しボタン昇降機構の側断面図である。
【符号の説明】
【００１５】
１      内ブラケットアーム
１１    軸心
２      外ブラケットアーム
２１    軸穴
２２    装着穴
２３    保持ポイント
【図１】
0003105280.tif 000003
【図２】
0003105280.tif 000004
【図３】
0003105280.tif 000005